(57)【特許請求の範囲】
【請求項１】
地盤調査を実施する傾斜地盤（Ｇ）に対し，支持器具（７）のスパイラル状刺し込み体の支持兼回転体（７１）に設けたピンスパナの装入ピン孔（８）にピンスパナ（９）を引っ掛けてスパイラル状刺し込み体（７２）をねじ込んで垂直反力を増加させ，その支持器具（７）の支持兼回転体（７１）に回転駆動部ガイド（１）を固定することによって，ボーリング機械と作業する作業員を載せるための足場を設置することなく，回転駆動部ガイド（１）の水平性を確保するように構成したことを特徴とするボーリング機械。
【請求項２】
地盤調査を実施する傾斜地盤（Ｇ）に対し，支持器具（７）の支持兼回転体（７１）に設けたピンスパナの装入ピン孔（８）にピンスパナ（９）を引っ掛けてスパイラル状刺し込み体（７２）をねじ込み，その支持器具（７）支持兼回転体（７１）に回転駆動部ガイド（１）を固定することによって，三又や櫓を設置することなく，掘削孔の鉛直性を確保するように構成したことを特徴とするボーリング機械。
【請求項３】
地盤調査を実施する傾斜地盤（Ｇ）に対し，支持器具（７）の支持兼回転体（７１）に設けたピンスパナの装入ピン孔（８）にピンスパナ（９）を引っ掛けてスパイラル状刺し込み体（７２）をねじ込み，その支持器具（７）の支持兼回転体（７１）に回転駆動部（２）を固定することによって，垂直反力を増加させ，地盤（Ｇ）の状態に応じた給圧を与えて掘削を可能とし，従来型の掘削時に貫入が難しくなると作業員が体重をかけて作業を進める必要が無くなり，安全に作業することを可能としたことを特徴とするボーリング機械。
【請求項４】
支持器具（７）のスパイラル状刺し込み体（７２）の素材は鉄製とし，支持器具（７）のスパイラル状刺し込み体（７２）の長さについては３０ｃｍ〜７０ｃｍ，スパイラル状刺し込み体（７２）の幅については１０ｃｍ〜１５ｃｍ，スパイラル状刺し込み体（７２）のピッチについては，盛土における礫のサイズに合わせて１０ｃｍ〜２０ｃｍで可変させることが可能であり，礫を取り込んで回転駆動部ガイド（１）を安定できるようにしたことを可能とした請求項１記載のボーリング機械。
【発明の詳細な説明】
【技術分野】
【０００１】
本発明では，地盤調査に用いられているハンドフィード式のボーリング機械の構造を利用し，通常の調査時にボーリング機械を載せる足場に三又や櫓を設置する作業に変えて，調査対象地山にスパイラル状の支持器具をねじ込み垂直反力を増加させることで，ボーリング機械の安定性を確保し，調査時の施工性と安全性を高めたボーリング機械を提供することを目的とする。
【背景技術】
【０００２】
通常行われている地質調査では，パーカッション式ボーリング機械やロータリー式ボーリング機械が利用されている。
【０００３】
これらのボーリング機械で掘削行う場合に問題となる掘削孔の鉛直性を確保するために，ボーリング機械を載せる足場に三又や櫓を設置してボーリング機械を水平に配置する必要がある。
【０００４】
このような組み合わせで地盤調査を実施する場合，油圧によるハイドローリックフィード式ボーリング機械では重量が２００ｋｇ以上と重いことから，クレーンが届かない調査箇所に運搬するのに多大な労力を必要としていた。
【０００５】
また，ボーリング機械を水平にして，調査孔の鉛直性を確保するために三又や櫓を設置する必要があることから足場が必要であり，足場が設置できないような狭い箇所での調査ができない問題もある。
【０００６】
一方で，盛土斜面での地盤調査では浅い深度の地盤状況を把握することが多いことから，簡易的なボーリング機械で地盤調査を行っている現状がある。
【０００７】
このような作業に用いられる簡易ボーリング機械には，パーカッション式の電動の駆動部と地盤のコアサンプルを採取するコアチューブとが組み合わされている仕様のものがあり，打撃によって押し組むことから，無理に掘削を進めると採取されるコアが著しく圧縮することで減少することが問題となっている。
【０００８】
また，掘削時に貫入が難しくなると作業員が体重をかけて掘削作業を進める必要があり，安全面での問題がある。
【先行技術文献】
【特許文献】
【０００９】
【特許文献１】実用新案登録第３１０１３９８号公報
【特許文献２】特開２０１７−１２２３７５号公報
【特許文献３】実用新案登録第３０８４４０５号公報
【００１０】
上記特許文献１の発明の構成は，電動コアドリルを用いてサンプラーを備えたボーリングロッドを地中に圧下させてコアの採取及び標準貫入試験を行う地質調査用のボーリング装置であって，ロッドホルダーを備えたベース上に垂直の昇降用フレームを脱着自在に取り付け，同昇降用フレームに電動コアドリルを下向きにして昇降自在且つ脱着自在に取り付け，同電動コアドリルの回転部にサンプラーを備えたボーリングロッドをロッドホルダーに通じて脱着自在に連結し，電動コアドリルを下降してボーリングロッドを地中に圧下させる加圧レバーを設け，滑車を備えたやぐらがベースを囲むように配設し，同やぐらの滑車に電動ウインチのワイヤーを掛架し，同ワイヤーの先端部にボーリングロッドの上端部と連結する連結具を取り付けることを特徴とする地質調査用ボーリング装置である。
【００１１】
これに対し，本発明においては，地盤調査に用いられているハンドフィード式のボーリング機械の構造を利用し，通常の調査時にボーリング機械を載せる足場に三又や櫓を設置する作業に変えて，調査対象地山にスパイラル状の支持器具をねじ込み垂直反力を増加させることで，ボーリング機械の安定性を確保し，調査時の施工性と安全性を高めたボーリング機械であることから上記特許文献１の発明と異なるものである。
【００１２】
上記特許文献２の発明の構成は，ボーリング機械の支持については，支柱部の長手方向中央部に，ハンガーが取り付けられており，当該ハンガーには，脚部等と同様の構成とされた脚部の一方側の端部が当該ハンガーを中心として回転可能に取り付けられている構造である。また，脚部の他方側の端部は，アンカーによって調査地盤に固定されている。なお，本実施形態では，台座部もアンカーで調査地盤に固定されている。
【００１３】
これに対し，本発明においては，特許文献２のように脚部とハンガーと台座部とアンカーによって調査地盤に保持せずに，調査対象地山にスパイラル状の支持器具をねじ込み垂直反力を増加させることで，ボーリング機械の安定性を確保し，調査時の施工性と安全性を高めたボーリング機械であることから上記特許文献２の発明と異なるものである。
【００１４】
上記特許文献３の発明の構成は，人力で移動可能なように少なくとも２つの直径１５０ｍｍ以上の車輪を備えた走行台車上に延設された少なくとも２本のシャフト部材からなるガイド機構と，給進機構を備え，前記ガイド機構に係合してガイド機構の長さ方向に進退自在に移動するスライド機構と，前記スライド機構に脱着可能に搭載されて，先端部にドリルヘッドとを備え，掘削軸上方の空間が得られるように，掘削する対象地面に前記走行台車を起倒自在に固定して，前記ドリルヘッドにより，前記チャックに把持されたドリルロッドなどを介してコアチューブなどに打撃力及び回転力を作用させて，地質資料採取などを行うように構成したことを特徴としたポータブルドリルである。ポータブルドリルの固定は，打ち込み式の固定部材を利用している。
【００１５】
これに対し，本発明においては，調査対象地山にスパイラル状の支持器具をねじ込み垂直反力を増加させることで，ボーリング機械の安定性を確保し，調査時の施工性と安全性を高めたボーリング機械であることから上記特許文献３のようにポータブルドリルの重量と打ち込み式の固定部材によって掘削時の垂直の反力を受け持つ仕様とは異なっているものである。
【発明の概要】
【発明が解決しようとする課題】
【００１６】
そこで，本発明は地盤調査を実施する傾斜地盤に対し，スパイラル状の支持器具をねじ込み，その支持器具に回転駆動ガイド（リーダー部）を固定することによって，掘削時の垂直反力を増加させ，地盤調査時の施工性と安全性を高めることを可能としたボーリング機械を提供することにある。
【００１７】
本発明の第１は，地盤と連結することで施工性と安全性を高めたボーリング機械において，地盤調査を実施する傾斜地盤に対し，支持器具のスパイラル状刺し込み体をねじ込み，その支持器具に駆動部を固定することによって，足場を設置することなく，駆動部の水平性の確保を可能としたものである。
【００１８】
本発明の第２は，地盤と連結することで施工性と安全性を高めたボーリング機械において，地盤調査を実施する斜面に対し，支持器具のスパイラル状刺し込み体をねじ込み，その支持器具に駆動部を固定することによって，三又や櫓を設置することなく，掘削孔の鉛直性の確保を可能としたものである。
【００１９】
本発明の第３は，地盤と連結することで施工性と安全性を高めたボーリング機械において，地盤調査を実施する斜面に対し，支持器具のスパイラル状刺し込み体をねじ込み，その支持器具に駆動部を固定することによって，垂直反力を増加させ，地盤の状態に応じた給圧を与えて掘削が可能となる。従来型では掘削時に貫入が難しくなると作業員が体重をかけて掘削作業を進める必要が無くなり，安全に作業することを可能としたものである。
【００２０】
本発明の第４は，第１〜第３の発明に係る地盤と連結することで施工性と安全性を高めたボーリング機械において，支持器具のスパイラル状刺し込み体については，素材は鉄製とし，スパイラル状刺し込み体の長さについては，３０ｃｍ〜７０ｃｍ，幅については１０ｃｍ〜１５ｃｍ，ピッチについては，盛土における礫のサイズに合わせて１０ｃｍ〜２０ｃｍで可変させることが可能であり，礫を取り込んで駆動部を安定できることを可能としたものである。
【発明の効果】
【００２１】
本発明は上記の構成であるから次の効果がある。地盤調査に用いられているハンドフィード式のボーリング機械の構造を利用し，通常の調査時にボーリング機械を載せる足場に三又や櫓を設置する作業に変えて，調査対象地山にスパイラル状の支持器具をねじ込み垂直反力を増加することで，ボーリング機械を安定させ，調査時の施工性と安全性を高めることが可能である。
【図面の簡単な説明】
【００２２】
【図１】本発明に係るボーリング機械の概略正面図である。
【図２】図１のスパイラル支持器具と回転駆動部ガイドを接続する箇所の拡大図である。
【図３】図２の３−３線に沿う断面図である。
【図４】図１の支持兼回転体のピン孔にピンスパナを装着して，スパイラル状刺し込み体を地盤に埋め込み開始時の拡大図である。
【図５】図４の５−５線に沿う断面図である。
【図６】図４の状態からスパイラル状刺し込み体を地盤に埋め込んで支持兼回転体を地盤に設置した縦断面図である。
【発明を実施するための形態】
【００２３】
本発明に関わるスパイラル状の支持器具については，強度のある鉄製を標準とする。
【００２４】
本発明に関わるボーリング機械については，２００Ｖの減速機付きの駆動部を利用することを標準とする。
【実施例１】
【００２５】
次に，本発明の実施例を説明する。図１において，１は回転駆動部ガイドであり，柱型の高さ方向の中間部に回転駆動部を設け，下部１１にスパイラル支持器具を具備する構造を有してある。２は回転駆動部であり，下部にコアチューブを設置し，回転駆動部で昇降できる構造になっている。３は回転駆動部ガイド１の昇降用ハンドルであり，回転駆動部２を介してコアチューブを昇降できるように設けてある。４は回転駆動部ガイド１に装着してコアチューブを支持する支持アームである。５はコアチューブであり，回転駆動部２で地盤Ｇを掘削できるようになっている。６は回転駆動部ガイド１とスパイラル支持兼回転体とをボルトで固定した連結部材である。
【００２６】
図２及び図３において，６1は回転駆動部ガイドとスパイラル支持兼回転体を連結する部材である。６２はスパイラル支持兼回転体と回転駆動部ガイドとスパイラル支持兼回転体とを固定する連結ボルトである。６３は回転駆動部ガイド１の下部１１とスパイラル支持兼回転体とを連結部材の本体６１を固定するためのボルトである。
【００２７】
７はスパイラル状刺し込み体と支持兼回転体の鉄製の支持器具である。７１はスパイラル状刺し込み体の支持兼回転体であり，その素材は鉄製とし，スパイラル状刺し込み体７２の長さについては，３０ｃｍ〜７０ｃｍ，幅については１０ｃｍ〜１５ｃｍ，ピッチについては，盛土における礫のサイズに合わせて１０ｃｍ〜２０ｃｍで可変させることが可能であり，礫を取り込んで回転駆動部ガイド１を安定できるようにしたことを可能としてある。
【００２８】
また，上記の支持器具７のスパイラル状刺し込み体７２は，その地盤調査を実施する傾斜地盤Ｇに対してねじ込んで垂直反力を増加させ，その支持器具７に回転駆動部ガイド１を固定することによって，足場を設置することなく，回転駆動部ガイド１の水平性の確保するようにしてある。
【００２９】
さらに，上記の支持器具７は地盤調査を実施する傾斜地盤Ｇに対し，スパイラル状刺し込み体７２をねじ込み，その支持兼回転体７１を回転駆動部ガイド１に固定することによって，三又や櫓を設置することなく，掘削孔の鉛直性を確保するように構成してある。
【００３０】
そして，スパイラル状刺し込み体７２の基部７ｎを支持兼回転体７１の上面７ｍにあけた孔７６に差し込んで溶接又はカシメ等で連結固着して当該支持兼回転体７１と一体化してある。７３は，スパイラル状刺し込み体７２の支持兼回転体７の内部であり，空洞となっている。７４は，スパイラル状刺し込み体７２の支持兼回転体７の台座７５に取り付けて地盤Ｇに接地する足付きの設置用ボルトである。
【００３１】
８はピンスパナ９を装入して引っ掛けるためのピン孔である。９はスパイラル状刺し込み体７２の支持兼回転体の支持器具７を回転させるピンスパナである。１０はスパイラル状刺し込み体７２の支持兼回転体７１と，回転駆動部ガイド１とスパイラル状刺し込み体の支持兼回転体７１とをボルトで固定した連結部材６の取り付け時に回動調整できるようにした取付ボルト用の調整用弧状長孔である。
【００３２】
次に，本発明の実施例を説明する。
【００３３】
調査ボーリング実施時の手順については，以下により行う。
（１）図４において，回転駆動部ガイド１から分離してある支持兼回転体７1のスパイラル状刺し込み体７２を地質調査対象となる地盤Ｇに位置決めする（未挿入状態）。
（２）図４・図５のようにピン穴８に引っ掛けたピンスパナ９を使って，スパイラル状刺し込み体７２と支持兼回転体７１を回転させることによって，スパイラル状刺し込み体７２を地盤Ｇまでねじ込んで埋め込む。
（３）地盤Ｇにねじ込まれたスパイラル状刺し込み体７２と支持兼回転体７1の台座７５との隙間を補正する足付きの補正ボルト７４を調整することで地盤Ｇとの接地を馴染み良くする。
（４）地盤Ｇにねじ込まれたスパイラル状刺し込み体７２と支持兼回転体７1と回転駆動部ガイド１とスパイラル支持兼回転体７１を連結する部材６1をスパイラル支持兼回転体７1を回転駆動部ガイド１とスパイラル支持兼回転体７１とを連結するボルト６2をボルト用弧状長孔１０に通してねじ込んで固定する（図３を参照）。
（５）回転駆動部ガイド１とスパイラル状刺し込み体支持兼回転体７１を連結部材６1とボルト６２を介して連結する。
（６）上記の連結をする際，回転駆動部ガイド１の向きの微調整については，ボルト用弧状長孔１０の長さ内においてスライドすることによって行う。
（７）また，回転駆動部２ガイド１の向きを大きく変えたい場合には，回転駆動部ガイドとスパイラル支持兼回転体を連結する部材６1の回転駆動部ガイドとスパイラル支持兼回転体とをボルトで固定した連結部材６を取り付けるためのボルト６3の４本のボルト孔の調整で向きの変更が可能である。
（８）回転駆動部２によってコアチューブ５を回転させながら，ハンドフィードによってコア採取する。
【００３４】
[効果確認試験１]
令和２年に新潟県内において，支持器具のスパイラル状刺し込み体７２の幅を可変させて製造し，製造歩留まりの良いピッチ１０ｃｍ〜２０ｃｍの幅のものを選定した。
【００３５】
[効果確認試験２]
令和２年に静岡県内の盛土斜面において，支持器具７において，長さ５０ｃｍで幅１０ｃｍ，ピッチ１０ｃｍ〜２０ｃｍの鉄製のスパイラル状刺し込み体７２を地盤調査対象となる地盤Ｇにねじ込んで盛土中の礫の取り込みを確認した。
【００３６】
[効果確認試験３]
令和２年に静岡県内の盛土傾斜地面Ｇにおいて，スパイラル状刺し込み体７２を地盤調査対象となる地山にねじ込んだ後に，回転駆動部ガイド１・回転駆動部２・コアチューブ５・連結部材６・スパイラル状刺し込み体と支持兼回転体の支持器具７を備えたハンドフィード式のボーリング機械で試掘を実施した。
【産業上の利用可能性】
【００３７】
本発明は，地盤調査を実施する傾斜地盤に対し，支持器具のスパイラル状刺し込み体をねじ込み垂直反力を増加させ，その支持器具に回転駆動部ガイドを連結固定することによって，地盤調査時の施工性と安全性を高めることを可能とした。
【符号の説明】
【００３８】
１…回転駆動部ガイド（リーダー部）
１１…支持兼回転体の支持器具と連結するための回転駆動部ガイドの下部
２…回転駆動部
３…駆動部昇降用ハンドル
４…コアチューブの支持アーム
５…コアチューブ
６…連結部材
６１…連結部材の本体
６２…連結用ボルト
６３…連結用ボルト
７…スパイラル状刺し込み体と支持兼回転体の支持器具
７１…スパイラル状刺し込み体の支持兼回転体
７２…スパイラル状刺し込み体
７３…回転体の内部
７４…地盤との隙間を補正する接地用ボルト
７５…支持兼回転体と一体の台板
７６…刺し込み体基部の通し孔
７ｎ…刺し込み体の基部
８…ピンスパナの装入ピン孔
９…スパイラル状刺し込み体の支持兼回転体の回転用ピンスパナ
１０…取付ボルト用の調整用弧状長孔
Ｇ…地盤
【要約】
【課題】
通常行われている地質調査では，パーカッション式ボーリング機械やロータリー式ボーリング機械が利用されているが，これらのボーリング機械で掘削行う場合に問題となる掘削孔の鉛直性を確保するために，ボーリング機械を載せる足場に三又や櫓を設置してボーリング機械を水平に配置する必要がある。
【解決手段】
地盤調査を実施する斜面（Ｇ）に対し，支持器具（７）のスパイラル状刺し込み体（７２）をねじ込んで垂直反力を増加させ，その支持器具（７）に回転駆動部ガイド（１）を固定することで，足場を設置することなく，回転駆動部ガイド（１）の水平性の確保が可能となり，スパイラル状刺し込み体（７２）を備えた支持器具（７）が礫を取り込んで回転駆動部ガイド（１）を安定することを可能としたボーリング機械の構成。
【選択図】  図１【図１】
0006927622.tif 000002
【図２】
0006927622.tif 000003
【図３】
0006927622.tif 000004
【図４】
0006927622.tif 000005
【図５】
0006927622.tif 000006
【図６】
0006927622.tif 000007